(57)【要約】【課題】複数のユーザがログイン可能な環境において、ジョブの実行を指示したユーザ（ジョブオーナ）を明確に特定することができるジョブ処理装置を提供する。【解決手段】複数のユーザがログイン可能なジョブ処理装置であって、複数のユーザがログインしたことを検出する検出手段と、ユーザによるジョブ実行指示を受け付ける受付手段と、前記検出手段が複数のユーザがログインしたことを検出した場合に、前記受付手段により受け付けるジョブの実行指示が、ログインしている複数のユーザのいずれによりなされるかを特定可能に表示する表示手段と、前記表示手段による表示に基づきユーザが特定されたうえで前記受付手段によりジョブの実行指示を受け付けた場合に、当該特定されたユーザによるジョブとして当該実行指示に応じたジョブを実行する処理手段と、を有することを特徴とするジョブ処理装置を提供する。【選択図】図１
2009237814.tif 000002
【特許請求の範囲】
【請求項１】
複数のユーザがログイン可能なジョブ処理装置であって、
複数のユーザがログインしたことを検出する検出手段と、
ユーザによるジョブの実行指示を受け付ける受付手段と、
前記検出手段が複数のユーザがログインしたことを検出した場合に、前記受付手段により受け付けるジョブの実行指示が、ログインしている複数のユーザのいずれによりなされるかを特定可能に表示する表示手段と、
前記表示手段による表示に基づきユーザが特定されたうえで前記受付手段によりジョブの実行指示を受け付けた場合に、当該特定されたユーザによるジョブとして当該実行指示に応じたジョブを実行する処理手段と、
を有することを特徴とするジョブ処理装置。
【請求項２】
ユーザごとに前記ジョブに関連する情報を管理するテーブルを記憶する記憶手段と、
前記処理手段によるジョブの実行に応じて特定されたユーザの前記情報を書き換える書換手段と、
を更に有することを特徴とする請求項１に記載のジョブ処理装置。
【請求項３】
前記情報は、前記ジョブを実行した回数を含むことを特徴とする請求項２に記載のジョブ処理装置。
【請求項４】
前記表示手段は、ログインしている複数のユーザのうちログアウトするユーザを選択可能に表示し、
前記受付手段は、前記表示手段により表示されたログアウトするユーザを選択する操作を受け付けることを特徴とする請求項１乃至３のうちいずれか１項に記載のジョブ処理装置。
【請求項５】
前記表示手段は、ログインしている複数のユーザのそれぞれに対応する複数のエリアを表示し、
前記複数のエリアのそれぞれは、ログインしている複数のユーザのうち対応するユーザに関する情報と、前記ジョブの実行を指示するキーとを含むことを特徴とする請求項１乃至４のいずれか１項に記載のジョブ処理装置。
【請求項６】
前記処理手段は、前記キーが押されたエリアに対応するユーザに関する情報に基づいて、前記ジョブを実行するユーザを特定することを特徴とする請求項５に記載のジョブ処理装置。
【請求項７】
前記表示手段は、ログインしている複数のユーザを識別するための識別情報を選択可能に表示することを特徴とする請求項１乃至４のいずれか１項に記載のジョブ処理装置。
【請求項８】
前記処理手段は、前記選択された識別情報に基づいて、前記ジョブを実行するユーザを特定することを特徴とする請求項７に記載のジョブ処理装置。
【請求項９】
複数のユーザがログイン可能なジョブ処理装置の制御方法であって、
複数のユーザがログインしたことを検出する検出ステップと、
ユーザによるジョブの実行指示を受け付ける受付ステップと、
前記検出ステップで複数のユーザがログインしたことを検出した場合に、前記受付ステップで受け付けるジョブの実行指示が、ログインしている複数のユーザのいずれによりなされるかを特定可能に表示手段に表示させる表示ステップと、
前記表示ステップにおける表示に基づきユーザが特定されたうえで前記受付ステップにおいてジョブの実行指示を受け付けた場合に、当該特定されたユーザによるジョブとして当該実行指示に応じたジョブを実行する処理ステップと、
を有することを特徴とする制御方法。
【請求項１０】
請求項９に記載の制御方法をコンピュータにより実現するためのプログラム。
【発明の詳細な説明】
【技術分野】
【０００１】
本発明は、ジョブ処理装置及び制御方法に関する。
【背景技術】
【０００２】
従来、１つの端末を複数のユーザで共用するものが知られている（例えば、特許文献１）。このような端末では、１人のユーザがログインしている場合、他のユーザが利用できないものが多い。
【０００３】
一方、画像形成装置（或いは、画像形成システム）等のジョブ処理装置において、複数のユーザを同時にログインさせる環境を提供してジョブの実行を可能とするマルチログイン環境が注目されている。
【０００４】
マルチログイン環境は、画像形成装置に先にログインしたユーザのログイン環境を維持したまま、かかる画像形成装置に別のユーザがログインすることを可能にする。従って、マルチログイン環境では、複数のユーザが画像形成装置にログインして（画像形成装置を同時に利用して）、お互いの知識（例えば、画像形成装置に保存された文書）を共有（閲覧）しながら印刷等のジョブを実行することができる。
【０００５】
一方、画像形成装置にログインした複数のユーザが操作部の前でジョブを実行する環境では、実際にジョブを実行したユーザを特定できないことがある。このような場合、ジョブ結果を保存するログに正しいジョブオーナの情報が記憶されない、或いは、意図しないユーザ（アカウント）に対して課金してしまう（ジョブのカウントアップをしてしまう）などの問題が生じてしまう。
【特許文献１】特開平１１−２５０４０号公報
【発明の開示】
【発明が解決しようとする課題】
【０００６】
しかしながら、従来技術においては、既にログインしていたユーザをログアウトさせ、ログイン中のユーザを唯一としなければジョブの実行を指示するユーザを特定できなかった。そのため、ログアウトしたユーザのログイン環境をリセットしてしまうため、互いの知識（画像形成装置に保存された文書）を共有（閲覧）できるマルチログイン環境にはならない。従って、マルチログイン環境におけるジョブオーナの明確化、及び、ログに記憶されるジョブオーナの情報や課金先の明確化の問題が解決されていない。また、ログイン環境がリセットされてしまうため、既にログインしていたユーザの知識を閲覧した状態でジョブオーナを切り替えることができない。
【０００７】
そこで、本発明は、このような従来技術の課題に鑑みて、複数のユーザがログイン可能な環境において、ジョブの実行を指示したユーザ（ジョブオーナ）を明確に特定することができるジョブ処理装置を提供することを例示的目的とする。
【課題を解決するための手段】
【０００８】
上記目的を達成するために、本発明の一側面としてのジョブ処理装置は、複数のユーザがログイン可能なジョブ処理装置であって、複数のユーザがログインしたことを検出する検出手段と、ユーザによるジョブの実行指示を受け付ける受付手段と、前記検出手段が複数のユーザがログインしたことを検出した場合に、前記受付手段により受け付けるジョブの実行指示が、ログインしている複数のユーザのいずれによりなされるかを特定可能に表示する表示手段と、前記表示手段による表示に基づきユーザが特定されたうえでユーザによるジョブとして当該実行指示に応じたジョブを実行する処理手段と、を有することを特徴とする。
【０００９】
本発明の更なる目的又はその他の特徴は、以下、添付図面を参照して説明される好ましい実施形態によって明らかにされるであろう。
【発明の効果】
【００１０】
本発明によれば、例えば、複数のユーザがログイン可能な環境において、ジョブの実行を指示したユーザ（ジョブオーナ）を明確に特定することができるジョブ処理装置を提供することができる。
【発明を実施するための最良の形態】
【００１１】
以下、添付図面を参照して、本発明の好適な実施の形態について説明する。なお、各図において、同一の部材については同一の参照番号を付し、重複する説明は省略する。
【００１２】
図１は、本発明の一側面としての画像形成装置１（及び画像形成装置１を含む画像形成システム）の構成を示す図である。画像形成装置１は、複数のユーザがログイン可能なジョブ処理装置であって、複数のユーザのログイン状態を維持するマルチログイン環境を提供する。画像形成装置１は、図１に示すように、リーダー部１０と、プリンタ部２０と、操作部３０と、記憶部４０と、制御部５０とを有する。
【００１３】
リーダー部１０は、原稿を光学的に走査することにより原稿上の画像を読み取って該画像を表す画像データに変換する。リーダー部１０は、本実施形態では、原稿を読み取るための機能を有するスキャナ部１２と、セットされた複数枚の原稿を１枚ずつ搬送するための機能を有する原稿給紙部１４とを有する。そして、原稿給紙部１４から搬送された原稿をスキャナ部１２により読み取る。但し、リーダー部１０は、原稿給紙部１４を用いずプラテンガラスにユーザにより載置された原稿を読み取って画像データに変換してもよい。
【００１４】
プリンタ部２０は、記録紙を搬送し、かかる記録紙に画像データを可視画像として形成（印刷）して排紙する。プリンタ部２０は、本実施形態では、種々の記録紙を収納する記録紙カセットを含む給紙部２２と、記録紙に画像データを可視画像として転写及び定着させる画像形成部２４と、画像が形成された記録紙をソート及びステイプルして排紙する排紙部２６とを有する。
【００１５】
操作部３０は、液晶表示部と、かかる液晶表示部の上に設けられたタッチパネル（入力装置）と、複数のハードキーとを有し、ユーザが様々な操作を行うユーザインタフェース（ＵＩ）を提供する。換言すれば、操作部３０は、ユーザによるジョブの実行指示を受け付ける受付部としての機能を有する。操作部３０は、タッチパネル及び／又はハードキーを介して入力されたユーザの指示を制御部５０に送信する。操作部３０は、制御部５０から送信された画像データに対応する画像（例えば、操作画面など）を液晶表示部に表示する。なお、操作部３０及び操作部３０に表示される操作画面については、後で詳細に説明する。
【００１６】
記憶部４０は、例えば、ハードディスク（ＨＤ）で構成され、画像形成装置１の動作に関連する様々なプログラムやデータなどを記憶する。記憶部４０には画像データを記憶する領域として複数のボックス領域を含み、各ユーザは複数のボックスのうちの１つを指定して記憶させることが可能である。また、記憶部４０は、本実施形態では、画像形成装置１にログインする複数のユーザごとに、画像形成装置１で実行するジョブに関連する情報を管理するテーブルを記憶する。記憶部４０は、各ジョブに応じたジョブログを記憶するための記憶領域や課金等のために用いるカウンタ領域などを含む。
【００１７】
図２は、記憶部４０に記憶されるカウンタ情報を管理するテーブル４２０の一例を示す図である。テーブル４２０において、ジョブごと、及び、ユーザ（個人や部門を含む）ごとに、ジョブを実行した回数を示すカウンタ情報が管理されている。このカウンタ情報は、課金の他、利用可能回数の制限や利用回数の集計等に利用可能である。
【００１８】
ジョブ種領域４２２は、画像形成装置１で実行されるジョブの種類を示している。ジョブ種領域４２２には、本実施形態では、ジョブの一例として、コピー（ｃｏｐｙ）、Ｂｏｘプリント（ｂｏｘｐｒｉｎｔ）、Ｂｏｘスキャン（Ｂｏｘｓｃａｎ）、ＢｏｘＴｏＳｅｎｄなどが示されている。コピージョブとは、リーダー部１０で原稿上の画像を読み取って得た画像データをプリンタ部２０に出力し、記録紙に画像を印刷するジョブである。Ｂｏｘプリントジョブとは、記憶部４０内のボックスに記憶されている画像データの中から選択されたものを読み出してプリンタ部２０で記録紙上に画像を印刷するジョブである。Ｂｏｘスキャンジョブとは、リーダー部１０で原稿上の画像を読み取って得た画像データを記憶部４０内のボックスに記憶させるジョブである。ＢｏｘＴｏＳｅｎｄジョブとは、記憶部４０内のボックスに記憶されている画像データの中から選択されたものを読み出して外部に送信するジョブである。送信方法としてはファクシミリ送信、電子メール送信、ＦＴＰによる送信などがある。
【００１９】
ユーザ情報領域４２４は、画像形成装置１にログイン可能な複数のユーザの情報を示している。ユーザ情報領域４２４には、本実施形態では、ユーザの情報の一例として、ａｋａｉ、ｉｓｈｉｉ、ｏｏｔａなどが示されている。但し、ユーザ情報領域４２４に示されるユーザの情報は、個人に限らず、部門ＩＤなどであってもよい。
【００２０】
テーブル４２０を参照することで、各ユーザが各ジョブをどのくらい実行したのかを把握することが可能となる。例えば、ユーザ「ａｋａｉ」は、コピーを３０回、Ｂｏｘプリントを１０回、Ｂｏｘスキャンを１０回、ＢｏｘＴｏＳｅｎｄを１回実行している。
【００２１】
図３は、記憶部４０に記憶され、ジョブのログ情報を管理するテーブル４４０の一例を示す図である。テーブル４４０において、ジョブごとに、かかるジョブの実行に関するログ情報が管理されている。
【００２２】
ジョブ（ｊｏｂ）領域４４２は、画像形成装置１で実行されたジョブの種類を示している。
【００２３】
ジョブオーナ（ｊｏｂｏｗｎｅｒ）領域４４４は、ジョブの実行を指示したユーザであるジョブオーナを示している。
【００２４】
エンド（ｅｎｄ）領域４４６は、画像形成装置１で実行したジョブの終了時刻を示している。
【００２５】
リゾルト（ｒｅｓｕｌｔ）領域４４８は、画像形成装置１で実行したジョブが正しく終了したのかどうかのステータスを示している。
【００２６】
図１に戻って、制御部５０は、ＣＰＵやメモリなどを含み、画像形成装置１の動作を制御する。制御部５０は、リーダー部１０、プリンタ部２０、操作部３０及び記憶部４０と電気的に接続する。また、制御部５０は、ホストコンピュータが接続されたＬＡＮにも接続する。
【００２７】
制御部５０は、リーダー部１０、プリンタ部２０、操作部３０及び記憶部４０を制御して、コピー機能、Ｂｏｘ機能、ネットワークスキャナ機能、プリンタ機能などを提供する。コピー機能とは、原稿上の画像を読み取って画像データに変換し、かかる画像データに対応する画像を記録紙に形成（印刷）する機能である。Ｂｏｘ機能とは、画像データを記憶部４０内のボックスに記憶させる（保存する）機能及びボックス内の画像データを印刷したり送信したりする機能である。ネットワークスキャナ機能とは、リーダー部１０で原稿を読み取って得た画像データを画像ファイルに変換し、ＬＡＮを介して、ホストコンピュータに送信する機能である。プリンタ機能とは、ホストコンピュータからＬＡＮを介して受信したコードデータを画像データに変換し、かかる画像データに対応する画像を記録紙に形成（印刷）する機能である。制御部５０は操作部３０やホストコンピュータを介してなされたユーザによるジョブの実行指示に応じてこれらの機能を適宜組み合わせて種々のジョブを実行する。
【００２８】
また、制御部５０は、本実施形態では、画像形成装置１に複数のユーザがログインしたことを検出する検出部として機能したり、操作部３０における操作に基づいて、ジョブを実行するユーザを特定する特定部として機能したりする。更に、制御部５０は、ジョブを実行するユーザを特定した場合に、記憶部４０に記憶されたテーブル４２０における特定したユーザのジョブに関連する情報を書き換える書換部としても機能する。
【００２９】
以下、操作部３０及び操作部３０に表示される操作画面について説明する。操作部３０は、本実施形態では、画像形成装置１にログインしている複数のユーザからジョブを実行するユーザを選択可能（特定可能）に表示すると共に、ジョブを実行するユーザを選択する操作を受け付ける操作画面を液晶表示部に表示する。
【００３０】
図４は、画像形成装置１が起動した際（即ち、画像形成装置１の初期状態）に操作部３０の液晶表示部に表示される操作画面を示す図である。図４において、３０１は、トップメニューキーであって、トップメニューの操作画面に戻る際に押下されるキーである。３０２は、マイポータルキーであって、特定のユーザに関連する情報（例えば、特定のユーザが実行したジョブの情報や特定のユーザに固有のキーなど）のみが掲載された画面を表示する際に押下されるキーである。３０３乃至３１０は、各ジョブを示すジョブキーである。３１１乃至３１３は、各ジョブへのショートカットキーである。３１４は、登録キーであって、ショートカットキー３１１乃至３１３を登録するためのキーである。３１５は、ステータスラインであって、例えば、実行中のジョブの情報を表示したり、消耗品（トナーなど）の交換を促す情報を表示したりする。３１６は、システム状況キーであって、例えば、実行中のジョブリストやジョブログリストなどの情報を閲覧する画面を表示する際に押下されるキーである。３１７は、ログインキーであって、画像形成装置１にログインする際に押下されるキーである。
【００３１】
図５は、図４に示す操作画面において、ログインキー３１７が押下された際に操作部３０の液晶表示部に表示される操作画面（ログイン画面）の一例を示す図である。図５において、３１８は、ユーザ名を入力する入力フィールドであって、例えば、「ｓｕｚｕｋｉ」などと入力する。３１９は、パスワードを入力する入力フィールドである。３２０は、ＯＫキーである。入力フィールド３１８にユーザ名を、入力フィールド３１９にパスワードを入力して、ＯＫキー３２０を押下することで、ログイン処理が実行される。
【００３２】
図６は、図５に示す操作画面を介してログイン処理が実行された後（即ち、画像形成装置１にユーザがログインした後）に操作部３０の液晶表示部に表示される操作画面の一例を示す図である。図６に示す操作画面は、基本的には、図４に示す操作画面と同様であるが、画像形成装置１にログインしたユーザ（本実施形態では、「ｓｕｚｕｋｉ」）の情報３２１ａが表示されている。また、画像形成装置１にログインしたユーザがログアウトする際に押下するログアウトキー３２２も表示されている。図６に示す操作画面において、ジョブキー３０３乃至３１０やショートカットキー３１１乃至３１３を押下すると、ユーザ「ｓｕｚｕｋｉ」として各操作画面が表示される。また、図６に示す操作画面においては、画像形成装置１にログインしているユーザは一人であるため、ログアウトキー３２２が押下されると、図４に示す操作画面に戻る。一方、ログインキー３１７が押下されると、別のユーザがログインすることが可能となる。この場合、操作部３０の液晶表示部に表示される操作画面（ログイン画面）は、図５に示す操作画面と同じであるため、ここでの詳細な説明は省略する。
【００３３】
図７は、図５に示す操作画面を介して複数のログイン処理が実行された後（即ち、画像形成装置１に複数のユーザがログインした後）に操作部３０の液晶表示部に表示される操作画面の一例を示す図である。図７に示す操作画面は、図６に示す操作画面から遷移する操作画面である。図７に示す操作画面は、基本的には、図６に示す操作画面と同様である。但し、図７に示す操作画面は、画像形成装置１に既にログインしていたユーザ（「ｓｕｚｕｋｉ」）の情報３２１ａに加えて、新たにログインしたユーザ（本実施形態では、「ｔａｎａｋａ」）の情報３２１ｂが表示されている。また、図７に示す操作画面において、ログアウトキー３２２はプルダウン形式となり、画像形成装置１にログインしている複数のユーザからログアウトするユーザを選択可能に表示して、ログアウトするユーザを選択する操作を受け付ける。
【００３４】
図８は、図７に示す操作画面において、ジョブキー３０３乃至３１０やショートカットキー３１１乃至３１３が押下された際に操作部３０の液晶表示部に表示される操作画面の一例を示す図である。本実施形態では、図７に示す操作画面において、ボックス文書（ボックス機能）のジョブキー３１０が押下された場合を例に説明する。図８に示す操作画面では、複数のユーザのそれぞれに対応する複数のペイン（ユーザ毎に割り当てられたエリア）が表示され、本実施形態では、ユーザ「ｓｕｚｕｋｉ」に対応するペイン３２３、及び、ユーザ「ｔａｎａｋａ」に対応するペイン３２４が表示される。
【００３５】
図８において、３２４は、ペイン３２３の所有者であるユーザ「ｓｕｚｕｋｉ」の情報を示している。３２５は、ログアウトキーを示している。ログアウトキー３２５を押下することで、ユーザ「ｓｕｚｕｋｉ」はログアウトすることができる。３２６は、Ｂｏｘ番号を表示する領域であって、各Ｂｏｘ番号を選択可能に表示している。３２７は、Ｂｏｘ番号３２６において選択されたＢｏｘ番号（本実施形態では、「Ｂｏｘ番号１」）に保存されている文書データ（画像データ）を表示する領域であって、各文書データを選択可能に表示している。領域３２７において、選択された文書データは、図８に示すように、網掛け状態となる。本実施形態では、「仕様書付録Ｂ．ｄｏｃ」が選択されている。
【００３６】
３２８乃至３３４は、ペイン３２３に対応するユーザをジョブオーナとして各種処理（ジョブ）の実行指示を行うためのキーである。但し、キー３２８乃至３３１は、ペイン３２３に表示している文書データを処理対象とするキーである。また、キー３３２乃至３３４は、ペイン３２３及びペイン３２４（即ち、操作画面に表示されている全てのペイン）に表示している文書データを処理対象とするキーである。例えば、プレビューのためのキー３２８を押下すると、ペイン３２３の所有者であるユーザ「ｓｕｚｕｋｉ」をジョブオーナとして、ペイン３２３において選択している「仕様書付録Ｂ．ｄｏｃ」をプレビューする。また、原稿読込のキー３２９を押下すると、ペイン３２３の所有者であるユーザ「ｓｕｚｕｋｉ」をジョブオーナとして、リーダー部１０により原稿の読み取りを行う。そして、これによって得た画像データをペイン３２３において選択しているＢｏｘ番号１に対して新たに保存する。また、送信のキー３３０を押下すると、ペイン３２３の所有者であるユーザ「ｓｕｚｕｋｉ」をジョブオーナとして、ペイン３２３において選択している「仕様書付録Ｂ．ｄｏｃ」を指定された宛先に送信する。また、印刷のキー３３１を押下すると、ペイン３２３の所有者であるユーザ「ｓｕｚｕｋｉ」をジョブオーナとして、ペイン３２３において選択している「仕様書付録Ｂ．ｄｏｃ」を印刷する。
【００３７】
ユーザ「ｔａｎａｋａ」を所有者とするペイン３２４は、ユーザ「ｓｕｚｕｋｉ」を所有者とするペイン３２３と同様な構成を有するため、ここでの詳細な説明は省略する。即ち、ペイン３２４側に表示された各種処理の実行指示を行うキーはペイン３２４に対応するユーザをジョブオーナとして実行される。なお、ペイン３２４では、文書データ「仕様書Ｄ．ｄｏｃ」が選択されている。
【００３８】
図８に示す操作画面において、ペイン３２３の一括印刷のキー３３４を押下すると、ペイン３２３で選択された文書データ「仕様書付録Ｂ．ｄｏｃ」及びペイン３２４で選択された文書データ「仕様書Ｄ．ｄｏｃ」が印刷される。この際、ユーザ「ｓｕｚｕｋｉ」がジョブオーナとなる。
【００３９】
図９は、図８に示す操作画面において、ペイン３２３の一括印刷のキー３３４が押下された際に操作部３０の液晶表示部に表示される操作画面の一例を示す図である。図９に示す操作画面では、ジョブオーナを表示する領域３３５にユーザ「ｓｕｚｕｋｉ」が表示され、ユーザ「ｓｕｚｕｋｉ」がジョブ（印刷）を実行するユーザであることを示している。
【００４０】
図９において、３３６は、選択した文書データを表示する領域であって、本実施形態では、「仕様書付録Ｂ．ｄｏｃ」及び「仕様書Ｄ．ｄｏｃ」が表示されている。３３７は、文書データを印刷する部数を表示する領域であって、本実施形態では、「３部」が表示されている。３３８は、両面印刷などの各種設定を行うための応用モードを指定するためのキーである。このキー３３８を押下することにより、両面印刷などの各種設定を行うための画面が表示される。３３９は、印刷をキャンセルする際に押下されるキーである。３４０は、印刷を実行する際に押下されるキーである。従って、本実施形態において、キー３４０が押下されると、ユーザ「ｓｕｚｕｋｉ」をジョブオーナとして、「仕様書付録Ｂ．ｄｏｃ」及び「仕様書Ｄ．ｄｏｃ」が３部印刷される。なお、ユーザ「ｔａｎａｋａ」をジョブオーナとしたい場合には、図８に示す操作画面において、ユーザ「ｔａｎａｋａ」を所有者とするペイン３２４の一括印刷のキー３４１を押下すればよい。
【００４１】
また、図８に示す操作画面において、ペイン３２３の一括送信のキー３３３を押下すると、ペイン３２３で選択された文書データ「仕様書付録Ｂ．ｄｏｃ」及びペイン３２４で選択された文書データ「仕様書Ｄ．ｄｏｃ」が指定した宛先に送信される。この際、ユーザ「ｓｕｚｕｋｉ」がジョブオーナとなる。なお、ユーザ「ｔａｎａｋａ」をジョブオーナとしたい場合には、ユーザ「ｔａｎａｋａ」を所有者とするペイン３２４の一括送信のキー３４２を押下すればよい。
【００４２】
図１０は、図８に示す操作画面において、ペイン３２３の一括送信のキー３３３が押下された際に操作部３０の液晶表示部に表示される操作画面の一例を示す図である。図１０に示す操作画面では、ジョブオーナを表示する領域３４３にユーザ「ｓｕｚｕｋｉ」が表示され、ユーザ「ｓｕｚｕｋｉ」がジョブ（送信）を実行するユーザであることを示している。
【００４３】
図１０において、３４４は、選択した文書データを表示する領域であって、本実施形態では、「仕様書付録Ｂ．ｄｏｃ」及び「仕様書Ｄ．ｄｏｃ」が表示されている。３４５は、文書データを送信する宛先を表示する領域であって、本実施形態では、「ｓｕｚｕｋｉ．ｉｃｈｉｒｏ＠ｂｗ−ｍｌｎｓ．ｃｏｍ」が表示されている。３４６は、解像度などの各種設定を行うための応用モードを指定するためのキーである。このキー３４６を押下することにより送信する画像データの解像度などを設定するための画面が表示される。３４７は、文書データを送信する宛先を選択（設定）するためのキーである。このキー３４７を押下することにより、画像形成装置１に記憶されているアドレス帳から、あるいは直接入力した宛先を選択することができる。３４８は、送信をキャンセルする際に押下されるキーである。３４９は、送信を実行する際に押下されるキーである。従って、本実施形態において、キー３４９が押下されると、ユーザ「ｓｕｚｕｋｉ」をジョブオーナとして、「仕様書付録Ｂ．ｄｏｃ」及び「仕様書Ｄ．ｄｏｃ」が「ｓｕｚｕｋｉ．ｉｃｈｉｒｏ＠ｂｗ−ｍｌｎｓ．ｃｏｍ」に送信される。
【００４４】
また、図８に示す操作画面において、ペイン３２３の一括読込のキー３３２を押下する場合を考える。この場合、ユーザ「ｓｕｚｕｋｉ」を所有者とするペイン３２３及びユーザ「ｔａｎａｋａ」を所有者とするペイン３２４のそれぞれで選択したＢｏｘ番号に、リーダー部１０から読み込んだ画像データが新たな文書データとして保存される。この際、ユーザ「ｓｕｚｕｋｉ」がジョブオーナとなる。なお、ユーザ「ｔａｎａｋａ」をジョブオーナとしたい場合には、ユーザ「ｔａｎａｋａ」を所有者とするペイン３２４の一括読込のキー３５０を押下すればよい。
【００４５】
図１１は、図８に示す操作画面において、ペイン３２３の一括読込のキー３３２が押下された際に操作部３０の液晶表示部に表示される操作画面の一例を示す図である。図１１に示す操作画面では、ジョブオーナを表示する領域３５１にユーザ「ｓｕｚｕｋｉ」が表示され、ユーザ「ｓｕｚｕｋｉ」がジョブ（読込）を実行するユーザであることを示している。
【００４６】
図１１において、３５２は、新たな文書データを保存するＢｏｘ番号を表示する領域であって、本実施形態では、「１」が表示されている。３５３は、解像度などの各種設定を行うための応用モードを指定するためのキーである。３５４は、読込をキャンセルする際に押下されるキーである。３５５は、読込を実行する際に押下されるキーである。従って、本実施形態において、キー３５５が押下されると、ユーザ「ｓｕｚｕｋｉ」をジョブオーナとして、ペイン３２３及び３２４の「Ｂｏｘ番号１」に新たな文書データが保存される。
【００４７】
なお、画像形成装置１にログインしていないユーザ（本実施形態では、ユーザ「ｓｕｚｕｋｉ」及び「ｔａｎａｋａ」以外のユーザ）をジョブオーナとしたい場合には、図８に示す操作画面において、ログインキー３５７を押下すればよい。この場合、操作部３０の液晶表示部には、図５に示す操作画面（ログイン画面）が表示される。なお、図５に示す操作画面において、入力フィールド３１８にユーザ名を入力するのではなく、部門ＩＤ（例えば、「１２３４」）を入力した場合には、部門ＩＤ「１２３４」として画像形成装置１にログインすることができる。本実施形態では、操作部３０は、複数のユーザのそれぞれに対応するペインを表示するため、ユーザ「ｓｕｚｕｋｉ」及び「ｔａｎａｋａ」を所有者とするペイン３２３及び３２４に加えて、部門ＩＤ「１２３４」を所有者とするペインも表示される。
【００４８】
以下、画像形成装置１の動作について説明する。図１２は、画像形成装置１の動作を説明するためのフローチャートである。
【００４９】
まず、ステップＳ１００２では、制御部５０は、画像形成装置１にユーザがログインしたことを検出する。ユーザは、上述した図４（或いは、図６や図７など）及び図５に示す操作画面を操作することで、画像形成装置１にログインすることができる。なお、本実施形態では、画像形成装置１にユーザがログインすることを前提として説明するが、実際には、画像形成装置１にユーザがログインしたかどうかを検出する。
【００５０】
ステップＳ１００４では、制御部５０は、ステップＳ１００２でログインしたユーザの情報（例えば、図６に示す操作画面のユーザの情報３２１ａに相当）を操作部３０の液晶表示部に表示する。
【００５１】
また、ステップＳ１００６では、制御部５０は、ステップＳ１００２でログインしたユーザがログアウトするためのログアウトキー（例えば、図６に示す操作画面のログアウトキー３２２に相当）を操作部３０の液晶表示部に表示する。
【００５２】
ステップＳ１００４及びＳ１００６を経て、操作部３０の液晶表示部には、図６に示す操作画面が表示される。なお、画像形成装置１に既にログインしているユーザがいる場合には、図７に示す操作画面が表示される。
【００５３】
ステップＳ１００８では、制御部５０は、ジョブキー（例えば、図６に示す操作画面のジョブキー３０４乃至３１０に相当）又はショートカットキー（例えば、図６に示す操作画面のショートカットキー３１１乃至３１３に相当）が押下されたかどうかを監視する。
【００５４】
ステップＳ１００８でジョブキー又はショートカットキーが押下されていなければ、ジョブキー又はショートカットキーが押下されるまで監視を続ける。一方、ステップＳ１００８でジョブキー又はショートカットキーが押下されていれば、ステップＳ１０１０に進む。
【００５５】
ステップＳ１０１０では、制御部５０は、画像形成装置１に複数のユーザが同時にログインした状態であるかどうかを判定する。制御部５０が複数のユーザがログインしているかどうかを判定する方法として種々の方法を採用可能である。例えば、ログインしているユーザの情報から複数のユーザがログインしているかどうかを判定してもよい。また、ログイン済みのユーザがログアウトしていない状態でログイン処理を実行した回数（詳細には、ユーザを認証した回数）などから複数のユーザがログインしているかどうかを判定してもよい。
【００５６】
ステップＳ１０１０で複数のユーザがログインしていない（即ち、一人のユーザだけがログインしている）と判定された場合には、ステップＳ１０１４に進む。一方、ステップＳ１０１０で複数のユーザがログインしていると判定された場合には、ステップＳ１０１２に進む。なお、以下では、画像形成装置１に複数のユーザがログインしている場合を例に説明する。
【００５７】
ステップＳ１０１２では、制御部５０は、各ユーザ用のペイン毎に一括読込、一括送信、一括印刷などの一括処理を実行するキー（例えば、図８に示す操作画面のキー３３２乃至３３４やキー３４１、３４２及び３５０に相当）の表示を準備する。
【００５８】
ステップＳ１０１４では、制御部５０は、画像形成装置１にログインしていないユーザがログインするためのログインキー（例えば、図８に示すログインキー３５７）の表示を準備する。
【００５９】
ステップＳ１０１６では、制御部５０は、画像形成装置１にログインしている複数のユーザのそれぞれに対応する複数のペインを含む操作画面を操作部３０の液晶表示部に表示する。なお、複数のペインのそれぞれは、ステップＳ１０１２で準備された一括処理を実行するキーを含み、かかる複数のペインを含む操作画面は、ステップＳ１０１４で準備されたログインキーを含む。
【００６０】
ステップＳ１０１２乃至Ｓ１０１６を経て、操作部３０の液晶表示部には、図８に示す操作画面が表示される。なお、画像形成装置１にログインしているユーザが一人である場合には、例えば、図８に示す操作画面のペイン３２３のみを含む操作画面（即ち、単一のペインの操作画面）が表示される。但し、かかる操作画面には、一括処理を実行するキー（即ち、ステップＳ１０１２で準備されるキー）は表示されない。
【００６１】
ステップＳ１０１８では、制御部５０は、ジョブを実行するキー（例えば、図８に示す操作画面の処理を実行するキー３２８乃至３３１や一括処理を実行するキー３３２乃至３３４に相当）が押下されたかどうかを監視する。
【００６２】
ステップＳ１０１８でジョブを実行するキーが押下されていなければ、ジョブを実行するキーが押下されるまで監視を続ける。一方、ステップＳ１００８でジョブを実行するキーが押下されていれば、ステップＳ１０２０に進む。
【００６３】
ステップＳ１０２０では、制御部５０は、リーダー部１０、プリンタ部２０及び記憶部４０などを制御して、ステップＳ１０１８で押下されたキーに相当するジョブを実行する。
【００６４】
ステップＳ１０２２では、制御部５０は、操作部３０における操作に基づいて、ジョブを実行したユーザ（ジョブオーナ）の情報を取得する。例えば、制御部５０は、図８に示す操作画面において、キー３３４が押下されていれば、ジョブオーナが「ｓｕｚｕｋｉ」、ジョブが「一括印刷」であることを示す情報を取得することができる。即ち、いずれのペインに表示されたキーが押下されたか判断することにより、ユーザが特定されたうえで押下されたキーに対応するジョブの実行指示を受け付けることになる。そして、当該ユーザによるジョブとして押下されたキーの内容に応じたジョブを実行する。
【００６５】
ステップＳ１０２４では、制御部５０は、ステップＳ１０２２で取得したジョブオーナの情報に基づいて、記憶部４０に記憶されている課金のためのカウンタ情報を管理するテーブル（図２参照）を書き換える。例えば、一括印刷を実行するキー３３４が押下されていれば、図２に示すテーブル４２０において、ユーザ「ｓｕｚｕｋｉ」の「Ｂｏｘプリント」を実行した回数をカウントアップ（１５→１６）する。
【００６６】
ステップＳ１０２６では、制御部５０は、ステップＳ１０２０におけるジョブの実行の結果及びステップＳ１０２２で取得したジョブオーナの情報に基づいて、記憶部４０に記憶されているジョブのログ情報を管理するテーブル（図３参照）を書き換える。
【００６７】
このように、本実施形態では、画像形成装置１にログインしている複数のユーザのそれぞれに対応する複数のペインを含む操作画面を操作部３０に表示して、かかる操作部３０における操作に基づいて、ジョブを実行するユーザ（ジョブオーナ）を特定している。従って、画像形成装置１は、複数のユーザがログイン可能な環境において、ジョブオーナを明確に特定することができる。これにより、ジョブに関連する情報を管理するテーブルに正しいジョブオーナが記憶されない、或いは、意図しないユーザ（アカウント）に対して課金してしまう（ジョブのカウントアップをしてしまう）などの問題を防止することができる。この場合、ユーザに対応するペインのそれぞれにジョブの実行指示を行うためのキーを表示させるので、この表示に基づきどのユーザのジョブとしてジョブを実行させるかが明確になる。
【００６８】
なお、画像形成装置１に複数のユーザがログインしている場合であっても、図１３に示すように、単一のペインで操作画面を表示することも可能である。図１３は、図７に示す操作画面において、ジョブキー３０３乃至３１０やショートカットキー３１１乃至３１３が押下された際に操作部３０の液晶表示部に表示される操作画面の一例を示す図である。ここでは、図７に示す操作画面において、ボックス文書（ボックス機能）のジョブキー３１０が押下された場合を例に説明する。図１３に示す操作画面では、画像形成装置１に複数のユーザがログインしていることを単一のペインで表示している。
【００６９】
図１３において、３５８は、画像形成装置１にログインしているユーザの情報を表示する領域であって、本実施形態では、３５８ａ及び３５８ｂでユーザ「ｓｕｚｕｋｉ」及び「ｔａｎａｋａ」がログインしていることを表示している。なお、ユーザの情報を表示する領域３５８は、操作画面に表示されている単一のペインの所有者を識別するための識別情報を含んでいる。例えば、本実施形態では、３８５ａで表示されるユーザ「ｓｕｚｕｋｉ」が網掛けになっており、図１３に示す操作画面のペインの所有者は、ユーザ「ｓｕｚｕｋｉ」であることを示している。３５９は、画像形成装置１にログインしていないユーザをログインさせる場合に押下されるその他ユーザキーである。３６０は、画像形成装置１にログインしたユーザがログアウトする際に押下するログアウトキーである。画像形成装置１に複数のユーザがログインしている場合には、ログアウトキー３６０は、画像形成装置１にログインしている複数のユーザからログアウトするユーザを選択可能に表示して、ログアウトするユーザを選択する操作を受け付ける。３６１は、選択されたＢｏｘ番号（本実施形態では、「Ｂｏｘ番号１」）に保存されている文書データを表示する領域であって、各文書データを選択可能に表示している。図１３に示す操作画面においては、「仕様書付録Ｂ．ｄｏｃ」が選択されている。３６２は、一括処理を実行する対象となる文書データを指定するためのチェックボックスである。図１３に示す操作画面においては、「仕様書付録Ｂ．ｄｏｃ」が一括処理を実行する対象として指定されている。３６３は、ペインに表示されるユーザを切り替えるためのユーザ切替キーである。ユーザ切替キー３６３を押下することで、操作画面に表示されるペインの所有者を切り替えることができる。３６４は、各種処理（ジョブ）を実行するためのキーである。例えば、図１３に示す操作画面おいて、印刷処理を実行するためのキー３６４が押下された場合、ペインの所有者であるユーザ「ｓｕｚｕｋｉ」をジョブオーナとして、印刷処理（一括処理を含む）が実行される。
【００７０】
以下、単一のペインで操作画面を表示する場合の画像形成装置１の動作について説明する。図１４は、画像形成装置１の動作について説明するためのフローチャートである。
【００７１】
まず、ステップＳ１１０２では、制御部５０は、画像形成装置１にユーザがログインしたことを検出する。なお、本実施形態では、画像形成装置１にユーザがログインすることを前提として説明するが、実際には、画像形成装置１にユーザがログインしたかどうかを検出する。
【００７２】
ステップＳ１１０４では、制御部５０は、ステップＳ１００２でログインしたユーザの情報（例えば、図６に示す操作画面のユーザの情報３２１ａに相当）を操作部３０の液晶表示部に表示する。
【００７３】
また、ステップＳ１１０６では、制御部５０は、ステップＳ１００２でログインしたユーザがログアウトするためのログアウトキー（例えば、図６に示す操作画面のログアウトキー３２２に相当）を操作部３０の液晶表示部に表示する。
【００７４】
ステップＳ１１０４及びＳ１１０６を経て、操作部３０の液晶表示部には、図６に示す操作画面が表示される。なお、画像形成装置１に既にログインしているユーザがいる場合には、図７に示す操作画面が表示される。
【００７５】
ステップＳ１１０８では、制御部５０は、ジョブキー（例えば、図６に示す操作画面のジョブキー３０４乃至３１０に相当）又はショートカットキー（例えば、図６に示す操作画面のショートカットキー３１１乃至３１３に相当）が押下されたかどうかを監視する。
【００７６】
ステップＳ１１０８でジョブキー又はショートカットキーが押下されていなければ、ジョブキー又はショートカットキーが押下されるまで監視を続ける。一方、ステップＳ１１０８でジョブキー又はショートカットキーが押下されていれば、ステップＳ１１１０に進む。
【００７７】
ステップＳ１１１０では、制御部５０は、画像形成装置１にログインしているユーザの情報（例えば、図１３に示す操作画面のユーザの情報を表示する領域３５８）の表示を準備する。
【００７８】
ステップＳ１１１２では、制御部５０は、画像形成装置１にログインしていないユーザがログインするためのログインキー（例えば、図８に示す操作画面のその他ユーザキー３５９）の表示を準備する。
【００７９】
ステップＳ１１１４では、制御部５０は、ステップＳ１１１０及びＳ１１１２で準備されたユーザの情報及びログインキーを含む単一のペインの操作画面を操作部３０の液晶表示部に表示する。
【００８０】
ステップＳ１１１０乃至Ｓ１１１４を経て、操作部３０の液晶表示部には、図１３に示す操作画面が表示される。
【００８１】
ステップＳ１１１６では、制御部５０は、ジョブを実行するキー（例えば、図１３に示す操作画面の各種処理を実行するためのキー３６４が押下されたかどうかを監視する。
【００８２】
ステップＳ１１１６でジョブを実行するキーが押下されていなければ、ジョブを実行するキーが押下されるまで監視を続ける。一方、ステップＳ１１１６でジョブを実行するキーが押下されていれば、ステップＳ１１１８に進む。
【００８３】
ステップＳ１１１８では、制御部５０は、リーダー部１０、プリンタ部２０及び記憶部４０などを制御して、ステップＳ１１１６で押下されたキーに相当するジョブを実行する。
【００８４】
ステップＳ１１２０では、制御部５０は、操作部３０における操作に基づいて、ジョブを実行したユーザ（ジョブオーナ）の情報を取得する。例えば、制御部５０は、図１３に示す操作画面において、キー３６４が押下された際、識別情報（網掛け）がユーザ「ｓｕｚｕｋｉ」となっているため、ジョブオーナが「ｓｕｚｕｋｉ」、ジョブが「印刷」であることを示す情報を取得することができる。このとき、ジョブオーナが「ｓｕｚｕｋｉ」となることを確認する表示を行った後、ユーザから「ＯＫ」であることを示す指示がなされた場合にジョブの実行を開始するようにしてもよい。
【００８５】
ステップＳ１１２２では、制御部５０は、ステップＳ１０２２で取得したジョブオーナの情報に基づいて、記憶部４０に記憶されている課金のためのカウンタ情報を管理するテーブル（図２参照）を書き換える。
【００８６】
ステップＳ１１２４では、制御部５０は、ステップＳ１０２０におけるジョブの実行の結果及びステップＳ１０２２で取得したジョブオーナの情報に基づいて、記憶部４０に記憶されているジョブのログ情報を管理するテーブル（図３参照）を書き換える。
【００８７】
このように、画像形成装置１に複数のユーザがログインしている場合に単一のペインの操作画面を操作部３０に表示しても、かかる操作部３０における操作に基づいて、ジョブを実行するユーザ（ジョブオーナ）を特定することができる。但し、単一のペインには、ジョブを実行するユーザの識別情報を含ませる必要がある。また、この例では、ユーザ情報の表示に基づきジョブオーナを特定したうえでジョブを実行するので、ジョブの実行指示は操作画面上の表示によるキーに代えて、ハードキーによる実行指示を行うことも可能である。
【００８８】
上述した実施形態は、システム又は装置のコンピュータ（ＣＰＵ又はＭＰＵなど）によって、ソフトウエア的に実現することが可能である。
【００８９】
従って、上述した実施形態をコンピュータで実現するために、かかるコンピュータに供給されるコンピュータプログラム自体も本発明を実現するものである。換言すれば、上述した実施形態の機能を実現するためのコンピュータプログラム自体も本発明の一側面を構成する。
【００９０】
なお、上述した実施形態を実現するためのコンピュータプログラムは、コンピュータ読み取り可能であれば、どのようか形態であってもよい。例えば、オブジェクトコード、インタプリタにより実行されるプログラム、ＯＳに供給するスクリプトデータ等で構成することができるが、これらに限るものではない。
【００９１】
上述した実施形態を実現するためのコンピュータプログラムは、記録媒体又は有線／無線通信によりコンピュータに供給される。プログラムを供給するための記録媒体としては、例えば、フレキシブルディスク、ハードディスク、磁気テープ等の磁気記録媒体、ＭＯ、ＣＤ、ＤＶＤ等の光／光磁気記録媒体、不揮発性の半導体メモリなどがある。
【００９２】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであってもよい。
【００９３】
そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。
【００９４】
従って、上述した実施形態を実現するためのプログラムファイルをクライアントコンピュータに提供するサーバ装置も本発明の一側面を構成する。
【００９５】
また、上述した実施形態を実現するためのコンピュータプログラムを暗号化して格納した記録媒体を配布し、所定の条件を満たしたユーザに、暗号化を解く鍵情報を供給し、ユーザの有するコンピュータへのインストールを許可してもよい。鍵情報は、例えばインターネットを介してホームページからダウンロードさせることによって供給することができる。
【００９６】
また、上述した実施形態を実現するためのコンピュータプログラムは、すでにコンピュータ上で稼働するＯＳの機能を利用するものであってもよい。
【００９７】
更に、上述した実施形態を実現するためのコンピュータプログラムは、その一部をコンピュータに装着される拡張ボード等のファームウェアで構成してもよいし、拡張ボード等が備えるＣＰＵで実行するようにしてもよい。
【００９８】
以上、本発明の好ましい実施例について説明したが、本発明はこれらの実施例に限定されないことはいうまでもなく、その要旨の範囲内で種々の変形及び変更が可能である。
【図面の簡単な説明】
【００９９】
【図１】本発明の一側面としての画像形成装置の構成を示す図である。
【図２】図１に示す画像形成装置の記憶部に記憶されるカウンタ情報を管理するテーブルの一例を示す図である。
【図３】図１に示す画像形成装置の記憶部に記憶され、ジョブのログ情報を管理するテーブルの一例を示す図である。
【図４】図１に示す画像形成装置が起動した際に操作部の液晶表示部に表示される操作画面を示す図である。
【図５】図４に示す操作画面において、ログインキーが押下された際に操作部の液晶表示部に表示される操作画面の一例を示す図である。
【図６】図５に示す操作画面を介してログイン処理が実行された後に操作部の液晶表示部に表示される操作画面の一例を示す図である。
【図７】図５に示す操作画面を介して複数のログイン処理が実行された後に操作部の液晶表示部に表示される操作画面の一例を示す図である。
【図８】図７に示す操作画面において、ジョブキーやショートカットキーが押下された際に操作部の液晶表示部に表示される操作画面の一例を示す図である。
【図９】図８に示す操作画面において、ユーザ「ｓｕｚｕｋｉ」を所有者とするペインの一括印刷のキーが押下された際に操作部の液晶表示部に表示される操作画面の一例を示す図である。
【図１０】図８に示す操作画面において、ユーザ「ｓｕｚｕｋｉ」を所有者とするペインの一括送信のキーが押下された際に操作部の液晶表示部に表示される操作画面の一例を示す図である。
【図１１】図８に示す操作画面において、ユーザ「ｓｕｚｕｋｉ」を所有者とするペインの一括読込のキーが押下された際に操作部の液晶表示部に表示される操作画面の一例を示す図である。
【図１２】図１に示す画像形成装置の動作を説明するためのフローチャートである。
【図１３】図７に示す操作画面において、ジョブキーやショートカットキーが押下された際に操作部の液晶表示部に表示される操作画面の一例を示す図である。
【図１４】図１に示す画像形成装置の動作を説明するためのフローチャートである。
【符号の説明】
【０１００】
１                          画像形成装置
１０                        リーダー部
１２                        スキャナ部
１４                        原稿給紙部
２０                        プリンタ部
２２                        給紙部
２４                        画像形成部
２６                        排紙部
３０                        操作部
４０                        記憶部
４２０                      テーブル
４２２                      ジョブ種領域
４２４                      ユーザ情報領域
４４０                      テーブル
４４２                      ジョブ領域
４４４                      ジョブオーナ領域
４４６                      エンド領域
４４８                      リゾルト領域
５０                        制御部
【図１】
2009237814.tif 000003
【図２】
2009237814.tif 000004
【図３】
2009237814.tif 000005
【図４】
2009237814.tif 000006
【図５】
2009237814.tif 000007
【図６】
2009237814.tif 000008
【図７】
2009237814.tif 000009
【図８】
2009237814.tif 000010
【図９】
2009237814.tif 000011
【図１０】
2009237814.tif 000012
【図１１】
2009237814.tif 000013
【図１２】
2009237814.tif 000014
【図１３】
2009237814.tif 000015
【図１４】
2009237814.tif 000016